(57)【要約】【課題】良好なカラーマッチングを行う表示デバイスのプロファイルを作成する。【解決手段】表示デバイスの画面を測色する測色計と、表示デバイスの制御値で定義される評価用画像が予め記憶された評価画像記憶手段と、プロファイルを記憶するプロファイル記憶手段と、測色計の測定データを記憶する測定データ記憶手段と、評価用画像を読み出して、表示デバイスに表示する手段と、評価用画像が表示デバイスに表示されている状態において、測色計によって測定した表示デバイスの画面の測色値を入力して、測定データ記憶手段に記憶する手段と、測定データ記憶手段に記憶された測色値から、色再現モデルの係数を算出する手段と、測色値と、色再現モデルによる予測値との誤差を算出する手段と、誤差を近似するための近似曲線を算出する手段と、近似曲線に基づいて、表示デバイスのデバイス制御値と測色値の関係を定義したプロファイルを作成する手段とを備えた。【選択図】図１
2008236465.tif 000002
【特許請求の範囲】
【請求項１】
プロファイル作成対象の表示デバイスの画面を測色する測色計と、
前記表示デバイスの制御値で定義される評価用画像が予め記憶された評価画像記憶手段と、
前記プロファイルを記憶するプロファイル記憶手段と、
前記測色計の測定データを記憶する測定データ記憶手段と、
前記評価画像記憶手段に記憶された評価用画像を読み出して、前記表示デバイスに該評価用画像を表示する表示制御手段と、
前記評価用画像が前記表示デバイスに表示されている状態において、前記測色計によって測定した前記表示デバイスの画面の測色値を入力して、前記測定データ記憶手段に記憶する測定データ入力手段と、
前記測定データ記憶手段に記憶された測色値から、色再現モデルの係数を算出するモデル係数算出手段と、
前記測色値と、前記色再現モデルによる予測値との誤差を算出するモデル誤差算出手段と、
前記誤差を近似するための近似曲線を算出する近似曲線算出手段と、
前記近似曲線に基づいて、前記表示デバイスのデバイス制御値と測色値の関係を定義したプロファイルを作成するプロファイル作成手段と
を備えたことを特徴とするプロファイル作成装置。
【請求項２】
前記近似曲線算出手段が求めた近似曲線の極値を求める極値算出手段と、
前記誤差が極値となるデバイス制御値を使用して新たな評価用画像を生成する評価画像生成手段とをさらに備え、
前記測定データ入力手段は、新たに生成された前記評価用画像を前記表示デバイスに表示して測定した場合の測色値を入力し、
前記モデル誤差算出手段は、新たな測色値の誤差を算出し、
前記近似曲線算出手段は、新たな誤差を加えて改めて近似曲線を算出し、
前記プロファイル作成手段は、新たな近似曲線に基づいて、前記プロファイルを作成する
ことを特徴とする請求項１に記載のプロファイル作成装置。
【請求項３】
プロファイル作成対象の表示デバイスの画面を測色する測色計と、前記表示デバイスの制御値で定義される評価用画像が予め記憶された評価画像記憶手段と、前記プロファイルを記憶するプロファイル記憶手段と、前記測色計の測定データを記憶する測定データ記憶手段とを備えたプロファイル作成装置におけるプロファイル作成方法であって、
前記評価画像記憶手段に記憶された評価用画像を読み出して、前記表示デバイスに該評価用画像を表示する表示制御ステップと、
前記評価用画像が前記表示デバイスに表示されている状態において、前記測色計によって測定した前記表示デバイスの画面の測色値を入力して、前記測定データ記憶手段に記憶する測定データ入力ステップと、
前記測定データ記憶手段に記憶された測色値から、色再現モデルの係数を算出するモデル係数算出ステップと、
前記測色値と、前記色再現モデルによる予測値との誤差を算出するモデル誤差算出ステップと、
前記誤差を近似するための近似曲線を算出する近似曲線算出ステップと、
前記近似曲線に基づいて、前記表示デバイスのデバイス制御値と測色値の関係を定義したプロファイルを作成するプロファイル作成ステップと
を有することを特徴とするプロファイル作成方法。
【請求項４】
前記近似曲線算出手段が求めた近似曲線の極値を求める極値算出ステップと、
前記誤差が極値となるデバイス制御値を使用して新たな評価用画像を生成する評価画像生成ステップとをさらに有し、
前記測定データ入力ステップは、新たに生成された前記評価用画像を前記表示デバイスに表示して測定した場合の測色値を入力し、
前記モデル誤差算出ステップは、新たな測色値の誤差を算出し、
前記近似曲線算出ステップは、新たな誤差を加えて改めて近似曲線を算出し、
前記プロファイル作成ステップは、新たな近似曲線に基づいて、前記プロファイルを作成する
ことを特徴とする請求項３に記載のプロファイル作成方法。
【発明の詳細な説明】
【技術分野】
【０００１】
本発明は、ディスプレイ、プロジェクタなどの表示デバイスに画像を表示する際に、意図した画像表示となるよう表示デバイスの色再現特性を考慮したデバイス制御値と測色値の関係や、測定条件などを記述したプロファイルの作成を行うプロファイル作成装置及びプロファイル作成方法に関する。
【背景技術】
【０００２】
表示デバイスに画像を表示する際には、意図した再現色を表示できるようにカラーマッチングを行うことが一般的である。カラーマッチングを行う際に必要となるのが、プロファイルと呼ばれるデバイス制御値と測色値の関係や、測定条件などのデータを記述したファイルであり、このプロファイルに正確にこれらの情報を記述することにより、良好なカラーマッチングが実現される。
【０００３】
従来、表示デバイスとしてＣＲＴ（CathodeRayTube）モニタが広く用いられたが、ＣＲＴにおいては、ＴＲＣ（ToneReproductionCurve）／Ｍａｔｒｉｘモデル（例えば、非特許文献１参照）や、ＧＯＧ（Gain,Offset,Gamma）モデル（例えば、非特許文献２参照）と呼ばれる色再現モデルにより、デバイスの特性を高い精度で記述可能である。ＣＲＴモニタにおける色再現モデルは、再現色の三刺激値をＸ，Ｙ，Ｚとすると、以下の式（１）によって表現される。
【数１】
2008236465.tif 000003
ここで、Ｘｒ，ｍａｘ，Ｘｇ，ｍａｘ，Ｘｂ，ｍａｘ，Ｙｒ，ｍａｘ，Ｙｇ，ｍａｘ，Ｙｂ，ｍａｘ，Ｚｒ，ｍａｘ，Ｚｇ，ｍａｘ，Ｚｂ，ｍａｘはＲｅｄ，Ｇｒｅｅｎ，Ｂｌｕｅチャンネルの最大発光時の三刺激値であり、Ｒ’，Ｇ’，Ｂ’はデバイス三刺激値である。
【０００４】
（１）式におけるデバイス三刺激値Ｒ’，Ｇ’，Ｂ’は（２）式によって表現され、デバイス制御値に対して、非線形な関係を仮定する式である。
【数２】
2008236465.tif 000004
ここで、ｋｇ，ｒ，ｋｇ，ｇ，ｋｇ，ｂは、Ｒｅｄ，Ｇｒｅｅｎ，Ｂｌｕｅチャンネルのゲイン値、ｋｏ，ｒ，ｋｏ，ｇ，ｋｏ，ｂはＲｅｄ，Ｇｒｅｅｎ，Ｂｌｕｅチャンネルのオフセット値、ｎは、デバイスの表示ビット数、ｄｒ，ｄｇ，ｄｂはデバイス制御値、γｒ，γｇ，γｂはＲｅｄ，Ｇｒｅｅｎ，Ｂｌｕｅチャンネルのガンマ値である。
【０００５】
また、（１）式では、各チャンネルの最大発光時（８ｂｉｔのＣＲＴであれば、デバイス制御値が２５５）に対応する三刺激値を行列成分としている。行列の成分として、各チャンネルの最大発光時の三刺激値を用いるということにより、デバイス制御値によって再現される色度が不変であることを仮定している。また、（１）式中の再現色の三刺激値Ｘ，Ｙ，Ｚは、各チャンネルのＸ，Ｙ，Ｚ成分とデバイス三刺激値を掛け合わせた値の和から求められる。即ち、再現色のＸ，Ｙ，Ｚに対して各チャンネルの加法性の成立を仮定している。
【０００６】
ＣＲＴにおいては上記３つの仮定が良く成り立ち、ＴＲＣ／Ｍａｔｒｉｘモデル等の色再現モデルにより、デバイスの色再現特性を良好に記述できた。
【非特許文献１】SpecificationICC.1:2004-10(Profileversion4.2.0.0)
【非特許文献２】RS.Bernsetal.,「CRTColorimetry.PartI:TheoryandPractice」ColorRes.Appl.,18,299-314(1993)
【発明の開示】
【発明が解決しようとする課題】
【０００７】
しかしながら、他の方式のディスプレイ（例えば、液晶ディスプレイ）やプロジェクタ等の表示デバイスにおいては、上記の仮定が成り立たず、ＴＲＣ／Ｍａｔｒｉｘモデル等ＣＲＴモニタの色再現特性を記述できた色再現モデルを用いてプロファイルを作成した場合、デバイスの色再現特性を十分な精度で記述できない可能性があるという問題がある。
【０００８】
本発明は、このような事情に鑑みてなされたもので、表示デバイスのデバイス制御値と測色値の関係や、測定条件などを記述したプロファイルを作成する際、ディスプレイの加法性不成立となる特性を考慮する事により、プロファイルの色再現特性記述精度を向上させ、より良好なカラーマッチングを行うためのプロファイル作成装置及び、作成方法を提供することを目的とする。
【課題を解決するための手段】
【０００９】
本発明は、プロファイル作成対象の表示デバイスの画面を測色する測色計と、前記表示デバイスの制御値で定義される評価用画像が予め記憶された評価画像記憶手段と、前記プロファイルを記憶するプロファイル記憶手段と、前記測色計の測定データを記憶する測定データ記憶手段と、前記評価画像記憶手段に記憶された評価用画像を読み出して、前記表示デバイスに該評価用画像を表示する表示制御手段と、前記評価用画像が前記表示デバイスに表示されている状態において、前記測色計によって測定した前記表示デバイスの画面の測色値を入力して、前記測定データ記憶手段に記憶する測定データ入力手段と、前記測定データ記憶手段に記憶された測色値から、色再現モデルの係数を算出するモデル係数算出手段と、前記測色値と、前記色再現モデルによる予測値との誤差を算出するモデル誤差算出手段と、前記誤差を近似するための近似曲線を算出する近似曲線算出手段と、前記近似曲線に基づいて、前記表示デバイスのデバイス制御値と測色値の関係を定義したプロファイルを作成するプロファイル作成手段とを備えたことを特徴とする。
【００１０】
本発明は、前記近似曲線算出手段が求めた近似曲線の極値を求める極値算出手段と、前記誤差が極値となるデバイス制御値を使用して新たな評価用画像を生成する評価画像生成手段とをさらに備え、前記測定データ入力手段は、新たに生成された前記評価用画像を前記表示デバイスに表示して測定した場合の測色値を入力し、前記モデル誤差算出手段は、新たな測色値の誤差を算出し、前記近似曲線算出手段は、新たな誤差を加えて改めて近似曲線を算出し、前記プロファイル作成手段は、新たな近似曲線に基づいて、前記プロファイルを作成することを特徴とする。
【００１１】
本発明は、プロファイル作成対象の表示デバイスの画面を測色する測色計と、前記表示デバイスの制御値で定義される評価用画像が予め記憶された評価画像記憶手段と、前記プロファイルを記憶するプロファイル記憶手段と、前記測色計の測定データを記憶する測定データ記憶手段とを備えたプロファイル作成装置におけるプロファイル作成方法であって、前記評価画像記憶手段に記憶された評価用画像を読み出して、前記表示デバイスに該評価用画像を表示する表示制御ステップと、前記評価用画像が前記表示デバイスに表示されている状態において、前記測色計によって測定した前記表示デバイスの画面の測色値を入力して、前記測定データ記憶手段に記憶する測定データ入力ステップと、前記測定データ記憶手段に記憶された測色値から、色再現モデルの係数を算出するモデル係数算出ステップと、前記測色値と、前記色再現モデルによる予測値との誤差を算出するモデル誤差算出ステップと、前記誤差を近似するための近似曲線を算出する近似曲線算出ステップと、前記近似曲線に基づいて、前記表示デバイスのデバイス制御値と測色値の関係を定義したプロファイルを作成するプロファイル作成ステップとを有することを特徴とする。
【００１２】
本発明は、前記近似曲線算出手段が求めた近似曲線の極値を求める極値算出ステップと、前記誤差が極値となるデバイス制御値を使用して新たな評価用画像を生成する評価画像生成ステップとをさらに有し、前記測定データ入力ステップは、新たに生成された前記評価用画像を前記表示デバイスに表示して測定した場合の測色値を入力し、前記モデル誤差算出ステップは、新たな測色値の誤差を算出し、前記近似曲線算出ステップは、新たな誤差を加えて改めて近似曲線を算出し、前記プロファイル作成ステップは、新たな近似曲線に基づいて、前記プロファイルを作成することを特徴とする。
【発明の効果】
【００１３】
本発明によれば、表示デバイスのデバイス制御値と測色値の関係や、測定条件などを記述したプロファイルを作成する際、ディスプレイの加法性不成立となる特性を考慮する事により、プロファイルの色再現特性記述精度を向上した良好なカラーマッチングを実現するためのプロファイル作成を容易に作成することができるという効果が得られる。
【発明を実施するための最良の形態】
【００１４】
以下、本発明の一実施形態によるプロファイル作成装置を図面を参照して説明する。図１は同実施形態の構成を示すブロック図である。この図において、符号１は、プロファイル作成装置の処理動作を統括して制御する制御部であり、パソコン等から構成する。符号２は、キーボード等で構成する入力部である。符号３は、プロファイルを作成する対象のディスプレイ装置（表示デバイス）である。符号４は、ディスプレイ装置３の表示画像の色を測定する測色計であり、制御部１からの制御信号によって測定を開始し、その結果得られる測定データを制御部１へ出力する。符号１１は、測定された評価用画像の測定データ（測色値）より、色再現モデルの係数を算出する係数算出部である。符号１２は、測定された評価用画像の測色値と色再現モデルの予測値の差を算出する誤差算出部である。符号１３は、算出された色再現モデルにおける誤差に対する近似曲線（近似直線を含む）を算出する近似曲線算出部である。符号１４は、評価用画像データが予め記憶された評価画像記憶部である。符号１５は、測色計４によって得られた測定データ（測色値）を記憶する測定データ記憶部である。符号１６は、作成したプロファイルデータを記憶するプロファイル記憶部である。
【００１５】
次に、図２を参照して、図１に示すプロファイル作成装置において、表示デバイスの加法性不成立となる特性を考慮したプロファイルを作成する動作を説明する。まず、作業者は、評価用画像を作成して、評価画像記憶部１４に記憶しておく。評価用画像を作成する際には、デバイス制御値（８ｂｉｔであれば０−２５５の範囲）においてその指定を行うが、モデル係数算出用に各チャンネルの一次色（例えば、Ｒｅｄチャンネルに関しては、ｄｒ＝０−２５５の範囲で１５ステップずつ変化、ｄｇ＝ｄｂ＝０）の画像を、また、モデルの精度を検証する為に二次色（ｄｒ，ｄｇ，ｄｂのうち、どれかが０、例えば、ｄｒ＝ｄｇ＝０−２５５の範囲で１５ステップずつ変化、ｄｂ＝０）及び、三次色（ｄｒ，ｄｇ，ｄｂのいずれも０ではない、例えば、ｄｒ＝ｄｇ＝ｄｂ＝０−２５５の範囲で１５ステップずつ変化）画像を作成する。そして、作業者が、入力部２を操作して、評価画像の選択と測色値の測定開始を指示すると、制御部１は、評価画像記憶部１４から所定の評価画像データを読み出し（ステップＳ１）、読み出した評価画像データをディスプレイ装置３に表示する（ステップＳ２）。
【００１６】
次に、制御部１は、評価画像が表示されている状態で、測色計４に対して、ディスプレイ装置３の画面に表示されている評価用画像の色を測定を指示し（ステップＳ３）、測色計４が出力する測定データ（測色値）を読み込み、この測定データを測定データ記憶部１５に記憶する（ステップＳ４）。制御部１は、ステップＳ１〜Ｓ４の動作を、評価画像記憶部１４に記憶されている評価用画像の数だけ繰り返し行うことにより全ての評価用画像に対する測色値を測定して、測定データ記憶部１５に記憶する。これにより、評価画像記憶部１４に記憶されている評価用画像の数と同数の測色値が測定データ記憶部１５に記憶されたことになる。
【００１７】
次に、係数算出部１１は、測定データ記憶部１５に記憶された測色値を読み出し、この測色値より前述の（１）式を使用して色再現モデルの係数を算出して内部に保持する（ステップＳ５）。そして、誤差算出部１２は、先に算出したモデル係数を用いた色再現モデルの予測値と測定データ記憶部１５に記憶された二次色、三次色に対する測色値の差（誤差）を算出する（ステップＳ６）。例えば、図４は二次色Ｙｅｌｌｏｗ（ｄｒ＝ｄｇ，ｄｂ＝０）及び、Ｂｌａｃｋ（ｄｒ＝ｄｇ＝ｄｂ＝０）における色再現モデルの三刺激値Ｙの予測値と測定データとの誤差を示す図であり、縦軸は、色再現モデルに基づく予測値に対する測定データの誤差、横軸はデバイス制御値（８ｂｉｔの場合）である。同様に、図５、６、７は、それぞれ二次色Ｃｙａｎ（ｄｇ＝ｄｂ，ｄｒ＝０），Ｍａｇｅｎｔａ（ｄｒ＝ｄｂ，ｄｇ＝０），三次色Ｇｒａｙ（ｄｒ＝ｄｇ＝ｄｂ）及び、Ｂｌａｃｋにおける色再現モデルの三刺激値Ｙの予測値と測定データとの誤差を示す図である。
【００１８】
次に、近似曲線算出部１３は、求めた誤差の値に基づいて近似曲線を求める（ステップＳ７）。例えば、図４〜図７中の破線は、算出した誤差の値から求めた近似曲線である。この近似曲線は、近似曲線を求める基になる値によっては近似直線となる場合もある。続いて、近似曲線算出部１３は、求めた近似曲線の最大値、最小値もしくは、極値（極大値、極小値）を算出する（ステップＳ８）。
【００１９】
次に、制御部１は、算出した最大値、最小値もしくは、極値と、デバイス制御値０，２５５よりプロファイル作成用のデータを算出する。例えば、図４に示す例において、デバイス制御値０とデバイス制御値５０付近の誤差の極小値を基に、それらの中間値となる値を算出する（ステップＳ９）。そして、制御部１は、求めた近似曲線に基づくデバイス制御値及び測色値（そのデバイス制御値により求められる色再現モデルにおける測色値と予測される誤差の和）と、測定データ記憶部１５にそれぞれ記憶されたデバイス制御値、測色値を使用して、ＣＬＵＴ（Color LookUp Table）タイプのプロファイルを作成する。制御部１は、ここで作成したプロファイルデータをプロファイル記憶部１６に記憶する（ステップＳ１０）。
【００２０】
このように、表示デバイスのデバイス制御値と測色値の関係や、測定条件などを記述したプロファイルを作成する際、ディスプレイの加法性不成立となる特性を考慮する事により、プロファイルの色再現特性記述精度を向上した良好なカラーマッチングを実現するためのプロファイル作成を容易に作成することができる。特に、最大値、最小値もしくは、極値に基づいて、プロファイルを作成するようにしたため、必要最小限の測定で精度の高いプロファイルを作成することができる。
【００２１】
次に、図３を参照して、図２に示すプロファイル作成動作の変形例を説明する。図３に示す動作が図２に動作と同一の部分には同一の符号（ステップＳ１〜Ｓ９）を付し、その説明を省略する。図３に示す動作が図２に示す動作と異なる点は、ステップＳ１０に代えて、新たなステップＳ１１〜Ｓ１５を設けた点である。制御部１は、プロファイル作成用データ（近似曲線）を算出した（ステップＳ９）後に、このプロファイル作成用のデータに基づいて、プロファイル作成用データのデバイス制御値の画像を生成し（ステップＳ１１）、この画像をディスプレイ装置３に表示する（ステップＳ１２）。
【００２２】
次に、制御部１は、評価画像が表示されている状態で、測色計４に対して、ディスプレイ装置３の画面に表示されている評価用画像の色を測定を指示し（ステップＳ１３）、測色計４が出力する測定データ（測色値）を読み込み、この測定データを測定データ記憶部１５に記憶する（ステップＳ１４）。そして、制御部１は、生成された画像の数だけ、ステップＳ１１〜Ｓ１４のステップを繰り返し行う。
【００２３】
次に、制御部１は、測定データ記憶部１５にそれぞれ記憶されたデバイス制御値、測色値を基に、ＣＬＵＴ（Color LookUp Table）タイプのプロファイルを作成して、この作成したプロファイルデータをプロファイル記憶部１６に記憶する（ステップＳ１５）。
【００２４】
ここで、図８を参照して、図３に示す動作の詳細を説明する。図８は、図４〜７に示すように、デバイス制御値毎に誤差の値をプロットした図である。この図において、符号Ｐ１〜Ｐ８は、実測値に基づく誤差の値であり、符号Ｃ１は、実測値の誤差に対する近似曲線である。符号Ｐ９、Ｐ１０は、近似曲線の極値において計算によって求めた計算値に基づく誤差の値である。制御部１は、計算値Ｐ９、Ｐ１０のそれぞれに対応するデバイス制御値を近似曲線から求め、ここで求めたデバイス制御値の画像を生成して、ディスプレイ装置３に表示する。そして、この画像を表示した時に測色計４によって計測した実測値と先に算出したモデル係数を用いた色再現モデルの予測値との誤差値が符号Ｐ１１と、符号Ｐ１２となる。また、必要であればそれらの値を含めた近似曲線Ｃ２を作成し、プロファイル作成用データを算出してもよい。
【００２５】
なお、近似曲線から求めた極値に基づいて、実測値を求める場合に、図９に示すように、実測値と予測値との差の大きさに応じて、実測値を求めるか否かを判定して、実測動作を行うか否かを決定するようにしてもよい。すなわち、図９（ａ）に示すように、極大値に最も近い実測値（ここで、実測値Ｐ１）と極大値との差ΔＶが予め決められたしきい値より小さい（ΔＶ＜しきい値）には、実測を行わず、近似曲線からプロファイルを作成する。一方、図９（ｂ）に示すように、極大値に最も近い実測値（ここで、実測値Ｐ２）と極大値との差ΔＶが予め決められたしきい値より大きい（ΔＶ＞しきい値）には、実測を行って、極大値の実測を行う。このようにすることにより、精度がそれほど向上しないのに極大値（または極小値）の実測を行うという無駄な処理を省略することができるため、プロファイル作成時間を短縮することができる。また、近似曲線に２つ以上の極大値または極小値がある場合、それぞれについてしきい値を用いた判定を行い、実測を行うか否かを決定するようにしてもよい。
【００２６】
このように、近似曲線で求めた値を実測値によって補正することができるため、プロファイルデータの精度を向上させることができる。特に、極値について実測を行うようにしたため、効率よく精度を向上させることが可能となる。
【００２７】
なお、前述した説明においては、（１）式の色再現モデルを用いて予測精度に対する補正を行う例を説明したが、この限りではなく、他の表示ディスプレイの色再現特性を記述する色再現モデルを用いても良い。また、色再現モデルの予測値と評価用データの測色値の差（誤差）の算出に三刺激値Ｙを用いたが、その限りではなく、他の測色値を用いても良い。さらに、色再現モデルの予測値と評価用データの測色値の差（誤差）の算出において、二次色Ｙｅｌｌｏｗ（ｄｒ＝ｄｇ，ｄｂ＝０），Ｃｙａｎ（ｄｇ＝ｄｂ，ｄｒ＝０），Ｍａｇｅｎｔａ（ｄｒ＝ｄｂ，ｄｇ＝０）及び、三次色Ｇｒａｙ（ｄｒ＝ｄｇ＝ｄｂ）を用いたが、その限りではなく、ｄｒ＝０，ｄｇ＝１２８で一定で、ｄｂのみ０−２５５の範囲で変化する二次色や、ｄｒ＝ｄｇ＝１２８で一定で、ｄｂのみ０−２５５の範囲で変化する三次色などを用いても良い。
【００２８】
また、前述したプロファイル作成処理は、液晶ディスプレイ、プラズマディスプレイ、プロジェクタなどの表示デバイスのプロファイルの作成に適用することが可能である。
【００２９】
なお、図１における処理部の機能を実現するためのプログラムをコンピュータ読み取り可能な記録媒体に記録して、この記録媒体に記録されたプログラムをコンピュータシステムに読み込ませ、実行することによりプロファイル作成処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３１】
【図１】本発明の一実施形態の構成を示すブロック図である。
【図２】図１に示すプロファイル作成装置の動作を示すフローチャートである。
【図３】図１に示すプロファイル作成装置の動作を示すフローチャートである。
【図４】本発明による二次色Ｙｅｌｌｏｗのモデルのエラー算出及び、近似直線もしくは、近似曲線の算出の例である。
【図５】本発明による二次色Ｃｙａｎモデルのエラー算出及び、近似直線もしくは、近似曲線の算出の例である。
【図６】本発明による二次色Ｍａｇｅｎｔａモデルのエラー算出及び、近似直線もしくは、近似曲線の算出の例である。
【図７】本発明による三次色Ｇｒａｙモデルのエラー算出及び、近似直線もしくは、近似曲線の算出の例である。
【図８】近似曲線からプロファイルデータを生成する動作を示す説明図である。
【図９】極大値を求めるか否かを判定する動作を示す説明図である。
【符号の説明】
【００３２】
１・・・制御部、１１・・・係数算出部、１２・・・誤差算出部、１３・・・近似曲線算出部、１４・・・評価画像記憶部、１５・・・測定データ記憶部、１６・・・プロファイル記憶部、２・・・入力部、３・・・ディスプレイ装置（表示デバイス）、４・・・測色計
【図１】
2008236465.tif 000005
【図２】
2008236465.tif 000006
【図３】
2008236465.tif 000007
【図４】
2008236465.tif 000008
【図５】
2008236465.tif 000009
【図６】
2008236465.tif 000010
【図７】
2008236465.tif 000011
【図８】
2008236465.tif 000012
【図９】
2008236465.tif 000013